(57)【要約】【課題】ノートパソコンのような携帯型情報処理装置は、病院の患者に対する配慮や乗り物の運行システムを構成している電子機器に重大な支障を及ぼさないように使用は制限されている。【解決手段】本発明の無線通信装置は、１以上の無線モジュール２６と、無線モジュールに電力を供給する組み込み制御器２３と、無線モジュールに電力を供給する電源線２５を開閉するスイッチ群２４と、電源線を開閉するスイッチ群を組み込み制御器に指示して開閉する制御スイッチ１５とを備え、制御スイッチが「オン」すると組み込み制御器が電源線を開閉するスイッチ群を全て「開」にするように制御することで、制御スイッチのワンタッチ操作で、動作中であった無線通信装置を停止することができる。【選択図】図２
2011010321.tif 000002
【特許請求の範囲】
【請求項１】
無線通信規格に準拠した高周波回路部を含む複数の無線モジュールと、
前記複数の無線モジュールそれぞれに電力を供給する組み込み制御器と、
前記組み込み制御器より 前記複数の無線モジュールそれぞれに電力を供給する各電源線を開閉する１回路のスイッチからなるスイッチ群と、
「オン」することにより、前記各電源線を開閉するスイッチ群を全て「開」にするように前記組み込み制御器が制御する 制御スイッチ とを備えることを特徴とする携帯型情報処理装置の無線通信装置。
【発明の詳細な説明】
【技術分野】
【０００１】
本発明はノートパソコンのような携帯型の情報処理装置（以下、総称してノートパソコン）のように、本体に開閉可能に取り付けられた無線通信装置に関するものである。
【背景技術】
【０００２】
近年、ノートパソコンのその携帯性をゆえ、インターネットなどネットワークに接続する場合には無線ＬＡＮによるネットワーク通信が一般的になってきている。また、ノートパソコンと外部機器との接続には、ＵＳＢまたはＩＥＥＥ１３９４のような有線ケーブルを使用したものよりは、無線ＬＡＮまたはブルートゥース（Ｂｌｕｅｔｏｏｔｈ（登録商標））のような無線通信によるデータ通信接続をする機会が益々増加している。
【０００３】
図３（ａ）は従来のノートパソコンであり、１１はノートパソコン本体、１２〜１４は無線通信用のアンテナであり、１２はディジタル携帯電話（以下、携帯電話）の規格に使われている無線通信方式のアンテナ（Ｗｈｉｐ  Ａｎｔｅｎｎａ  垂直アンテナ）であり、これにより携帯電話向けに提供しているインタ−ネット接続サービスと同じサービスをノートパソコン本体１１で受けることができる。
【０００４】
また、１３は無線ＬＡＮの規格の一つでＩＥＥＥ８０２．１１ｂ規格のアンテナ、１４は携帯情報機器向けの無線通信技術として規格化されたブルートゥースのアンテナである。ＩＥＥＥ８０２．１１ｂ用のアンテナ１３、ブルートゥースのアンテナ１４は図３（ｂ）のように絶縁体に銅箔を印刷したプリント配線板３１から、高周波信号をケーブル３２により受信または送出する簡単な構成でできており、ノートパソコンの筐体内部に実装されているので一般には外から確認できない。一方、携帯電話のアンテナ１２は、一般の携帯電話と同様にノートパソコン１１外部から確認できるが、ノートパソコン筐体内に収納可能な垂直アンテナである。
【０００５】
図４は従来のノートパソコンの無線通信に関係する部分のブロック図である。
【０００６】
図４において２１はアプリケーション（以下ＡＰＬ）であり、特定の目的のために設計されたソフトウエアである。２２はバイオス（以下Ｂｉｏｓ）であり、コンピュータに接続されたハードウエアを制御するプログラムであり、ハードウエアに対する基本的な入出力手段をＯＳやアプリケーションソフトに対して提供する。２３はエンベデッドコントローラ（Ｅｍｂｅｄｄｅｄ  Ｃｏｎｔｒｏｌｌｅｒ、組み込み制御器、以下ＥＣ）であり、上記ハードウエアのひとつである。２６ａ、２６ｂ、２６ｃは無線モジュール（Ｗｉｒｅｌｅｓｓ  Ｍｏｄｕｌｅ、以下ＷＭ）であり、図に記載のないノートパソコン１１本体からのディジタルデータを、ＷＭ１２６ａは携帯電話規格、ＷＭ２２６ｂはＩＥＥＥ８０２規格、ＷＭ３２６ｃはＢｌｕｅｔｏｏｔｈ規格に従ってデータを変調、復調する。１２，１３，１４は各無線通信規格の高周波信号の送信、受信をするアンテナである。
【０００７】
また２４は電源線２５（２５ａ、２５ｂ、２５ｃ）を開閉する１回路のスイッチからなるスイッチ群であり、ＡＰＬ２１の指示を、Ｂｉｏｓ２２を経由してＥＣ２３の制御で指示された電源線２５（２５ａ、２５ｂ、２５ｃ）のラインだけが開閉する。
【０００８】
ＡＰＬ２１で指示された無線通信規格を入力としてＢｉｏｓ２２を経由してＥＣ２３は指示のあった無線通信規格で、スイッチ群２４のラインを閉じられたＷＭ２６（ＷＭ１２６ａ、ＷＭ２２６ｂＷＭ３２６ｃ）に電力線２５（２５ａ、２５ｂ、２５ｃ）を通じて電源供給するため、ＡＰＬ２１で指示のあった無線通信規格のみが、アンテナ１２〜１４を通じてデータの送信、受信が行われる。
【先行技術文献】
【特許文献】
【０００９】
【特許文献１】特開平１１−１４９３３０号公報
【発明の概要】
【発明が解決しようとする課題】
【００１０】
このようにノートパソコンは、携帯して屋外や通常使用するオフィス以外、あるいは乗り物の中で使用する機会も益々増えてきている。
【００１１】
しかし、その一方で携帯電話やこのような無線通信機能のあるノートパソコンは、ギガヘルツ帯域の電波を使用するために、より波長が短いエックス線やガンマ線に近い性質をもっている。エックス線やガンマ線は細胞を直接傷つける力があるため、がん治療などに使われる反面、大量に浴びると白血病やがんを誘発することもわかっている。携帯電話、ノートパソコンや電子レンジ、テレビといった家電製品から出る電磁波は、エックス線やガンマ線にくらべて波長が長く人体への影響は少ないと見られてはいるが、電気的な刺激や熱の作用はこれらの機器で問題とされることがある。携帯電話、ノートパソコンのような携帯型機器は特に病院では患者に対する配慮から使用を制限される場合が多い。
【００１２】
また、人体に限らず電子機器への影響も問題がある。例えば航空機内では、携帯電話、ノートパソコンから出る電磁波は、意図しない電磁波（不要輻射）として航空機の運行システムを構成している電子機器に好ましくない障害を発生させてしまうこともあるので非常に危険であり、使用を禁止される場合も多い。不要輻射の場合、基本周波数の電磁波以外に高調波、スプリアスなどと言われる基本周波数の整数倍の電磁波も含まれるので、その影響を特定することは難しい。
【００１３】
航空機では昔から知られている雷や空電によるアナログ系障害は発生事象がはっきり分かる場合が多く、因果関係も比較的特定可能で再現性が高いケースが多いようであるが、コンピュータ等のディジタル機器の関係する機器への障害の場合は逆で、再現性に乏しく推測ができないような現象が発生し、ディジタル系障害と呼ばていれる。
【００１４】
航空機以外の乗り物でも電車内では、優先座席付近では携帯電話の使用は制限されており、ノートパソコンの場合であってもそれは同様であり、図３，図４のような複数の無線通信機能を備えたノートパソコンでは、その影響は携帯電話以上と考えるべきである。
【００１５】
本発明は、意図しない電磁波の発射を即座に停止することができる電子機器の提供を目的とする。
【課題を解決するための手段】
【００１６】
本発明の携帯型情報処理装置の無線通信装置に係る発明は、無線通信規格に準拠した高周波回路部を含む複数の無線モジュールと、前記複数の無線モジュールそれぞれに電力を供給する組み込み制御器と、前記組み込み制御器より前記複数の無線モジュールそれぞれに電力を供給する各電源線を開閉する１回路のスイッチからなるスイッチ群と、「オン」することにより、前記電源線を開閉するスイッチ群を全て「開」にするように前記組み込み制御器が制御する制御スイッチとを備える。
【発明の効果】
【００１７】
以上のように本発明は、制御スイッチのワンタッチ操作で、動作中であった無線通信装置を停止することができるので、病院や航空機内のような場所において、即座に意図しない電磁波（不要輻射）の発射を停止して病院の患者や航空機の運行システムを構成している電子機器に重大な支障を及ぼさないようにすることができるという優れた効果が得られる。
【図面の簡単な説明】
【００１８】
【図１】本発明のノートパソコンの外観図
【図２】本発明のノートパソコンの無線通信に関係する部分のブロック図
【図３】（ａ）は従来のノートパソコンの外観図、（ｂ）はＩＥＥＥ８０２．１１ｂ、ブルートゥースのアンテナの図
【図４】従来のノートパソコンの無線通信に関係する部分のブロック図
【発明を実施するための形態】
【００１９】
以下、本発明の実施の形態について、図１から図２を用いて説明する。
【００２０】
（実施の形態１）
図１は本発明のノートパソコンの外観図であり、１１はノートパソコン本体、１２〜１４は無線通信用のアンテナであり、１２はディジタル携帯電話に使われている無線通信方式の一つであるＧＳＭのアンテナ、１３は無線ＬＡＮの規格の一つでＩＥＥＥ８０２．１１ｂ規格のアンテナ、１４は携帯情報機器向けの無線通信技術として規格化されたブルートゥースのアンテナである。１５は各無線通信規格の無線モジュールを制御する制御スイッチである。
【００２１】
ＩＥＥＥ８０２．１１ｂ用のアンテナ１３、ブルートゥースのアンテナ１４は、図３（ｂ）のように、絶縁体に銅箔を印刷したプリント配線板３１から、高周波信号をケーブル３２により受信または送出する簡単な構成でできており、ノートパソコンの筐体内部に実装されているので一般には外から確認できない。一方、携帯電話のアンテナ１２は一般の携帯電話と同様にノートパソコン外部から確認できるが、ノートパソコン筐体内に収納可能な垂直アンテナである。
【００２２】
図２は本発明のノートパソコンの無線通信に関係する部分のブロック図である。
【００２３】
図２において２１はＡＰＬであり、特定の目的のために設計されたソフトウエアである。２２はＢｉｏｓであり、コンピュータに接続されたハードウエアを制御するプログラムであり、ハードウエアに対する基本的な入出力手段をＯＳやアプリケーションソフトに対して提供する。２３はＥＣ（組み込み制御器）であり、上記ハードウエアのひとつである。２６ａ、２６ｂ、２６ｃは無線モジュールであり、図に記載のないノートパソコン本体１１からのディジタルデータを、ＷＭ１２６ａは携帯電話規格、ＷＭ２２６ｂはＩＥＥＥ８０２規格、ＷＭ３２６ｃはＢｌｕｅ  ｔｏｏｔｈ規格に従ってデータを変調、復調する。１２〜１４は各無線通信規格の高周波信号の送信、受信をするアンテナである。
【００２４】
また２４は電源線２５ａ、２５ｂ及び２５ｃそれぞれを開閉する１回路のスイッチからなるスイッチ群であり、ＡＰＬ２１の指示を、Ｂｉｏｓ２２を経由してＥＣ２３の制御で指示された電源線２５ａ、２５ｂ、２５ｃをそれぞれ開閉する。
【００２５】
以上のように構成された無線通信装置について、図１、図２を用いてその動作を説明する。
【００２６】
ＡＰＬ２１で指示された無線通信規格を入力として、Ｂｉｏｓ２２を経由してＥＣ２３は、指示のあった無線通信規格のスイッチ群２４のラインを閉じてＷＭ２６（ＷＭ１２６ａ、ＷＭ２２６ｂ、ＷＭ３２６ｃ）に電源線２５を通じて電源供給するため、ＡＰＬ２１で指示のあった無線通信規格のみが、スイッチ群２４の指示によりアンテナ１２〜１４を通じてデータの送信、受信が行われる。以上は従来のノートパソコンと同じ動作である。
【００２７】
本実施の形態では制御スイッチ１５を新たに設けている。このスイッチは病院や航空機内のような場所において、意図しない電磁波（不要輻射）の発射を停止し、患者や航空機の運行システムを構成している電子機器に、重大な支障を及ぼさないようにするためのスイッチである。この制御スイッチ１５をオン状態にすると、スイッチ群２４のライン全てが開いてＷＭ２６（ＷＭ１２６ａ、ＷＭ２２６ｂ、ＷＭ３２６ｃ）に電力供給を停止するので、データの送信、受信が行われなくなる。ＡＰＬ２１で一つ一つのＷＭ２６（ＷＭ１２６ａ、ＷＭ２２６ｂ、ＷＭ３２６ｃ）のオン／オフ制御設定をすることなく、制御スイッチ１５のワンタッチ操作で電磁波の発射を停止できる。
【００２８】
この制御スイッチ１５をオフ状態に戻せば、元々動作中であった無線通信規格のＷＭ２６（ＷＭ１２６ａ、ＷＭ２２６ｂ、ＷＭ３２６ｃ）に、スイッチ群２４のラインを閉じることで、電源線２５ａ〜２５ｃが接続することで電力供給が再開される。制御スイッチ１５が前回オフ状態で動作中でなかったＷＭ２６（ＷＭ１２６ａ、ＷＭ２２６ｂ、ＷＭ３２６ｃの少なくとも何れか）には、ＥＣ２３が制御スイッチ１５のオン前の状態を記憶しているため、 制御スイッチ１５をオフ状態にしてもスイッチ群２４のラインは閉じず電力供給は行われない。
【００２９】
以上のように本実施の形態によれば、制御スイッチ１５のワンタッチ操作で、動作中であった無線通信装置を停止することができるので、病院や航空機内のような場所において、即座に意図しない電磁波（不要輻射）の発射を停止して病院の患者や航空機の運行システムを構成している電子機器に重大な支障を及ぼさないようにすることができる。
【００３０】
また、実施の形態の記載の中で、制御スイッチ１５をオフ状態に戻せば、元々動作中であった無線通信規格のＷＭ２６（ＷＭ１２６ａ、ＷＭ２２６ｂ、ＷＭ３２６ｃ）にスイッチ群２４のラインを閉じることで電力供給が再開されるとしたが、これに限ることはなく、制御スイッチ１５をオン（電磁波の発射停止）からオフ状態にしときにユーザの設定、つまりＡＰＬ２１の設定によりスイッチ群２４の指示されたラインを閉じて、電力供給された無線通信規格のＷＭ２６（ＷＭ１２６ａ、ＷＭ２２６ｂ、ＷＭ３２６ｃ）より電磁波の発射を再開するようにしても良い。 
【００３１】
なお、制御スイッチ１５をオン状態にするとスイッチ群２４のライン全てが開いてＷＭ２６（ＷＭ１２６ａ、ＷＭ２２６ｂ、ＷＭ３２６ｃ）に電力供給を停止するのでデータの送信、受信が行われなくなると説明したが、ＷＭ２６（ＷＭ１２６ａ、ＷＭ２２６ｂ、ＷＭ３２６ｃ）を送信部と受信部に電源回路を分離して制御スイッチ１５をオン状態することで送信部のみ動作を停止させ、受信部の動作を維持しても電磁波の発射は停止することができる。
【００３２】
また、電力供給によってＷＭ２６（ＷＭ１２６ａ、ＷＭ２２６ｂ、ＷＭ３２６ｃ）の動作を制御する説明をしたが、電力供給以外でもＷＭ２６（ＷＭ１２６ａ、ＷＭ２２６ｂ、ＷＭ３２６ｃ）の回路動作の動作／停止する構成で本発明を実現する方法もある。
【００３３】
また、ＷＭ２６（ＷＭ１２６ａ、ＷＭ２２６ｂ、ＷＭ３２６ｃ）とアンテナ１２〜１４の間にスイッチ群２４に配置して電磁波の空間への発射／停止を制御できることは言うまでもない。
【産業上の利用可能性】
【００３４】
本発明にかかる無線通信装置は、制御スイッチのワンタッチ操作で、動作中であった無線通信装置を停止することができるので、病院や航空機内のような場所において、即座に意図しない電磁波（不要輻射）の発射を停止して病院の患者や航空機の運行システムを構成している電子機器に重大な支障を及ぼさないようにすることができるという効果を有し、ノートパソコンのような携帯型の情報処理装置本体に開閉可能に取り付けられた無線通信装置等として有用である。
【符号の説明】
【００３５】
１１  ノートパソコン本体
１２  携帯電話規格のアンテナ
１３  ＩＥＥＥ８０２．１１ｂ規格のアンテナ
１４  ブルートゥースのアンテナ
１５  制御スイッチ
２１  ＡＰＬ（アプリケーション）
２２  Ｂｉｏｓ（バイオス）
２３  ＥＣ（Ｅｍｂｅｄｄｅｄ  Ｃｏｎｔｒｏｌｌｅｒ、組み込み制御器）
２４  スイッチ群
２５  電源線
２６  無線モジュール（Ｗｉｒｅｌｅｓｓ  Ｍｏｄｕｌｅ）
３１  プリント配線板
３２  ケーブル
【図１】
2011010321.tif 000003
【図２】
2011010321.tif 000004
【図３】
2011010321.tif 000005
【図４】
2011010321.tif 000006